【事件の表示】
　特願２００３−３２５４６４「文書検索装置、文書検索方法、および文書検索プログラム」拒絶査定不服審判事件〔平成１７年　４月　７日出願公開、特開２００５−　９２５５１〕について、次のとおり審決する。
【結　論】
　本件審判の請求は、成り立たない。
【理　由】
１．手続の経緯
　この出願（以下、「本願」という。）は、平成１５年９月１８日に出願したものであって、平成１８年５月１５日付けで拒絶理由が通知され、これに対して同年７月２４日付けで手続補正がなされたが、同年９月１日付けで拒絶査定がなされ、これに対して同年１０月１２日に拒絶査定不服審判が請求され、同年１１月１３日に手続補正がなされたものである。
　
　
２．本願発明
　本願の請求項に係る発明は、平成１８年１１月１３日付け手続補正書により補正された明細書の特許請求の範囲の請求項１乃至１１に記載されたとおりのものであるところ、請求項１に係る発明（以下、「本願発明」という。）は、次のとおりのものである。
「　　【請求項１】
　検索条件に適合する電子文書を検索する文書検索装置において、
　前記検索条件として指定された文字列が前記検索条件に適合する複数の電子文書の本文中で出現する位置を特定する挿入位置特定手段と、
　前記挿入位置特定手段により特定された各位置に当該位置を識別するためのラベルを挿入するラベル挿入手段と、
　前記ラベル挿入手段によりラベルを挿入された各位置へのリンクを、前記電子文書の本文中の前記検索条件として指定された文字列のうち当該位置から文書頭方向で最初に出現するものに設定するリンク挿入手段と、
　前記電子文書の本文の表示中に前記リンク挿入手段によりリンクを設定された文字列が指定された場合に、当該文字列から文書末方向で最初に出現するラベル付近の文字列を表示する文書表示手段と、
　を備え、
　前記リンク挿入手段は、前記電子文書の本文中で最初に出現する前記位置へのリンクを、当該電子文書とは別の電子文書の本文中で最後に出現する前記文字列であって、他の電子文書の本文中で最初に出現する前記位置へのリンクが設定されていないものに設定することを特徴とする文書検索装置。」
　
　
３．引用発明
　これに対し、原査定の拒絶理由で引用文献１として引用した、特開２００２−９２０３４号公報（以下、「引用例」という。）には、以下の記載がある。
 
（あ）「【０００５】すなわち、従来の文字列検索システムでは、単一の検索対象ファイルについて作業性の向上を実現しようとしている。しかしながら、現実には複数のファイルやフォルダに存在する文字列を検索するという需要が多く、従来のシステムはこのような需要に応えているとはいえない。
【０００６】
【発明が解決しようとする課題】上記のように、従来の文字列検索システムでは複数のファイルについて検索したい文字列データを探すまでに時間がかかる事である。その理由は、検索対象ファイルを単一ファイルのみとし、検索された場所を順々に表示する機能をもつツールが一般的なため、欲しいデータにすぐたどり着けないからである。
（中略）
【０００９】本発明の目的は、文字列検索について簡単な操作で選択が出来るシステムを提供することである。
（中略）
【００１１】さらに本発明の他の目的は、１ファイルまたは複数ファイルにまたがって文字列検索を容易に行うシステムを提供することである。
【００１２】さらに本発明の目的は、検索結果を表示する時、別途指定の数行単位で表示することが可能なシステムを提供することである。」
　
（い）「【００２２】すなわち、本発明によれば、検索したい文字列をマウスで選択し、メニューの「検索対象化」を選択することでＷＷＷのページと同様にアンダーバーが表示される。そして検索結果を、樹状表示画面にて「検索文字列毎」，「検索対象フォルダ毎」，「検索対象ファイル毎」に検索された文字列の行番号、概要（前後数文字含む）を表示する。」
 
（う）「【００３６】
【発明の実施の形態】以下、本発明について図面を参照しながら説明する。
【００３７】図１は本発明の実施の一形態を示す説明図である。同図において、本発明による文字列検索結果表示システムは、検索対象の文字列を含むテキストデータを格納する検索対象ファイル／フォルダ群３と、前記検索対象ファイル／フォルダ群を検索した結果を格納する検索結果格納データベース４と、検索処理の履歴を格納する検索履歴情報保存部５と、任意の文字列を検索条件として入力し，検索結果を表示し，過去の検索結果情報および検索履歴情報を参照するユーザインタフェースを形成する画面表示部１と、前記画面表示部の指示に基づいて前記検索対象ファイル／フォルダ群を検索し，前記検索結果格納データベースおよび前記検索履歴情報保存部を更新しあるいは参照し，これらの処理の結果を前記画面表示部に送出する検索モジュール格納部２とを有する。
【００３８】図２は上記の画面表示部１のレイアウト例を示す説明図である。同図において、画面表示部１は、本システムのメインメニューを示すメニュー表示部１１と、テキストデータを表示しメニューで指示された処理の結果を表示するファイル情報表示画面１２と、検索履歴情報に基づいて過去の検索履歴を表示する樹状表示画面１３と、検索結果格納データベースを参照して該当する過去の検索結果を表示する検索参照画面１４とを備える。
【００３９】図３はファイル情報表示画面１２の例を示す説明図である。同図において、ファイル情報表示画面上で検索対象文字列をマウスでドラッグし、反転させる。その状態で右クリックすると、図４に示すようなメニューが表示される。項目は「検索対象化」，「検索対象外」，「次の文字列」，「前の文字列」，「別ファイル」，「別フォルダ」，「プロパティ」の７つである。それぞれを選択した場合の詳細は後述する。
【００４０】樹状表示画面１３は、図７に示すように、初期起動時表示は、プロパティで指定された履歴情報に基づいて過去の検索結果表示を行う。そしてファイル情報表示画面にて新規検索が行われるごとに順次表示が追加されていく。検索された文字列は、行数および前後１０文字ずつの表示とする。通常では一部分の表示（後半部分が「．．．．」と表示）を行っているが、マウスで選択すると文字列全部が表示される。ある検索結果文字列をクリックすると、検索参照画面に該当の文字列を含むデータが表示される。
【００４１】検索参照画面１４は、図８に示すように、初期起動時表示は表示対象なしの状態である。樹状表示画面にて文字列が選択された時に、プロパティに設定された範囲に基づいて文字列が表示される。画面環境はファイル情報表示画面と同様で、対象文字列はアンダーバー表示を行い、アンダーバー表示をクリックするとファイル情報表示画面に該当文字列を含むファイルが展開される。
【００４２】次に、上記の文字列検索結果表示システムの動作を説明する。
【００４３】まず、ファイル情報表示画面において、マウスで検索したい文字列を反転表示させ、右クリックするとメニュー（図４参照）が表示される。このメニューのそれぞれの項目を選ぶと、以下の処理が行われる。
【００４４】「プロパティ」を選択すると標準で図５が表示される。同図において、検索対象文字列の部分には反転表示させた文字列情報がそのまま格納される。ここで修正を行う事も可能である。
【００４５】文字列クリック時の検索手段として、次の３つから選択可能である。
【００４６】（１）「カレントファイル」を選択すると同一文字列であるものを検索する。この条件が標準である。
【００４７】（２）「別ファイル」を指定すると検索対象のファイルをドライブ、そしてファイル名単位の指定が必要になる。ドライブ名は選択のみが可能であるが、ファイル名は直接入力、選択による指定が可能である。
【００４８】（３）「別フォルダ」を指定すると検索対象のフォルダをドライブ、そしてフォルダ名単位の指定が必要になる。ドライブ名は選択のみが可能であるが、フォルダ名は直接入力、選択による指定が可能である。
【００４９】それぞれの選択において文字列に「特殊文字列指定」を行う事が可能である。
【００５０】「プロパティ」において、「参照／履歴」タグを選択すると図６が表示される。同図において、「検索参照画面表示状態」部は樹状表示画面１３に示された検索文字列をクリックした場合、検索参照画面１４への反映方法を指定するものである。
【００５１】標準は「１行表示」であり、該当検索文字列が含まれた行（文末に改行コードが発見されるまで）が検索参照画面に表示される。
【００５２】「Ｘ行表示（Ｘは数値指定）」を指定し、Ｘに値を入力すると「１行表示」で表示される。行の前後Ｘ行を含めて表示する。Ｘの最大値は５（前後行合わせて１１行）である。
【００５３】「全行表示」を選択すると、ファイルの内容を検索参照画面を経由せずに直接ファイル情報表示画面に表示する。
【００５４】さらに、図６において、「履歴表示保持期間」部は樹状表示画面１３に表示する過去の検索結果の保持期間を指定するものである。
【００５５】「履歴個数」は検索済みのデータについて残す件数を指定するものであり、標準値は「５」である。０から９までが入力可能である。
【００５６】「履歴日数」は過去の検索情報を保持する日数を指定するものであり、標準値は「１」である。１から７（１週間）までは入力可能である。
【００５７】また、図４に示すメニューにおいて、「検索対象化」を選択すると、反転させた文字（列）を検索対象とし、アンダーバー表示する。同時に指定のファイル、フォルダ内で検索条件に合致するデータを検索しデータベースに格納する。結果は樹状表示画面にて階層構造で表示する。ファイル表示画面上（カレントファイル）で同じ文字列が検索されている場合はアンダーバー表示される。
【００５８】「検索対象外」を選択すると、対象になっている反転させた文字（列）を検索対象外にする。樹状表示画面からは該当文字列に関する検索結果を消去する。
【００５９】「次に文字列」を選択すると、前述のプロパティ指定の検索範囲で次に検索された文字列までジャンプする（図３参照）。アンダーバー表示文字列を単にクリックした場合にも同じ動作を行う。
【００６０】「前の文字列」を選択すると、前述のプロパティ指定の検索範囲で一つ前に検索された文字列までジャンプする（図３参照）。
【００６１】「別ファイル」を選択すると、図５の「検索対象文字列」および「別ファイル」を格納したダイアログが表示されるので、検索文字列およびファイル名をそれぞれ指定する事で、指定したファイル内で指定された文字列の検索を行う。検索の推移については「検索対象化」と同様である。
【００６２】「別フォルダ」を選択すると、図５の「検索対象文字列」および「別フォルダ」を格納したダイアログが表示されるので、検索文字列およびフォルダ名をそれぞれ指定する事で、指定したフォルダ内でファイル名を昇順に並べ、指定された文字列の検索を行う。検索の推移については「検索対象化」と同様である。
【００６３】上記の処理がファイル先端、もしくは終端まで来た場合、下記動作を行う。
【００６４】（１）カレントファイル、もしくは別ファイル指定で検索していた場合、検索終了表示を行う。
【００６５】（２）別フォルダ指定にて検索を行っていた場合、同一フォルダ内の次のファイルについて降順に検索を行い、結果を順次表示していく。フォルダ内の検索がすべて終了した場合は検索終了表示を行う。
【００６６】図９は上記の文字列検索結果表示システムの動作手順を示す説明図である。同図において、反転させた文字（列）を検索対象とし、アンダーバー表示とする。同時にプロパティで指定した情報と文字列情報が検索モジュール部に送られ、指定のファイル、フォルダ内で検索条件に合致するデータを検索し、順次検索結果格納データベースに格納する。
【００６７】検索結果は樹状表示画面にて標準では検索された行数、フォルダ毎、ファイル毎に検索文字列とその前後１０文字ずつが表示される。ファイル情報表示画面上で同じ文字列が検索されている場合は同様にアンダーバー表示される。
【００６８】上記の樹状表示画面の標準の表示は「検索文字列毎、フォルダ毎、ファイル毎」の順で表示（図７左上側）される。表示変更を行う事で「フォルダ毎、ファイル毎、検索文字列毎」の順（図７右上側）に変更する事も可能である。
【００６９】表示された検索文字列を選択（クリック）すると、事前設定したプロパティの条件に基づいて検索モジュールを経由して検索結果格納データベースに情報が伝わり、該当ファイルを検索して検索参照画面に該当の文字列を含むデータを表示（図７下側）する。
【００７０】上記の検索参照画面では、図８を参照すると、該当文字列はアンダーバー表示が行われる。表示が画面に収まらない場合はスクロール表示となる。詳細を見るために、検索対象画面内の該当文字列をクリックする事で、情報が検索モジュールを経由し、該当個所を含むファイルを検索結果格納データベースより選択し、ファイル表示部に指定文字列が格納されているファイルをファイル情報表示画面に展開表示する。」
 
　引用例の段落００３６〜００３８の記載によれば、引用例の文字列検索結果表示システムは、検索対象の文字列を含むテキストデータを格納する検索対象ファイル／フォルダ群と、前記検索対象ファイル／フォルダ群を検索した結果を格納する検索結果格納データベースと、検索処理の履歴を格納する検索履歴情報保存部と、任意の文字列を検索条件として入力し，検索結果を表示し，過去の検索結果情報および検索履歴情報を参照するユーザインタフェースを形成する画面表示部と、前記画面表示部の指示に基づいて前記検索対象ファイル／フォルダ群を検索し，前記検索結果格納データベースおよび前記検索履歴情報保存部を更新しあるいは参照し，これらの処理の結果を前記画面表示部に送出する検索モジュール格納部とを有するシステムであって、画面表示部はテキストデータを表示しメニューで指示された処理の結果を表示するファイル情報表示画面と、検索履歴情報に基づいて過去の検索履歴を表示する樹状表示画面と、検索結果格納データベースを参照して該当する過去の検索結果を表示する検索参照画面とを備えるといえる。
　
　また、引用例の段落００２２、０００４３、及び、００５７の記載によれば、ファイル情報表示画面において、マウスで検索したい文字列を反転表示させ、右クリックするとメニュー（図４参照）が表示され、該メニューにおいて、「検索対象化」を選択すると、反転させた文字（列）を検索対象としてＷＷＷのページと同様にアンダーバー表示し、同時に、指定のファイル、フォルダ内で検索条件に合致するデータを検索しデータベースに格納し、ファイル表示画面上（カレントファイル）で同じ文字列が検索されている場合はアンダーバー表示されるといえる。
　
　引用例の段落００５９の『「次に文字列」を選択すると〜』との記載における「次に文字列」は、図４の記載等からみて「次の文字列」の明らかな誤記であるのでそのように認定する。してみると、引用例の段落００５９及び図４の記載によれば、　前記右クリックすると表示されるメニューにおいて「次の文字列」を選択、又は、アンダーバー表示文字列を単にクリックすると、プロパティ指定の検索範囲で次に検索された文字列までジャンプ（移動）するといえる。
　
　引用例の段落００６３の「上記の処理がファイル先端、もしくは終端まで来た場合、下記動作を行う。」との記載における「上記の処理」が指す内容について検討するに、「下記動作」は、続く段落００６４，００６５であると解されるところ、該記載には、「カレントファイル、もしくは別ファイル指定で検索していた場合」、「別フォルダ指定にて検索を行っていた場合」という記載があり、「プロパティ」における検索範囲の指定と対応していることが明らかである。そして、「ファイル先端、もしくは終端まで来た場合」という記載から、ファイル中を順次移動するようなものと対応するといえる。以上のことから、「上記の処理」とは、段落００６３に先行する段落００５９〜００６２の、メニューにおける「次の文字列」、「前の文字列」、「別ファイル」、「別フォルダ」を選んだ場合のそれぞれの検索における、「プロパティ指定の検索範囲で次に検索された文字列までジャンプする」処理、及び「プロパティ指定の検索範囲で一つ前に検索された文字列までジャンプする」処理を指していることは明らかである。
　してみると、引用例の段落００６３〜００６５の記載によれば、「プロパティ指定の検索範囲で次に検索された文字列までジャンプする」処理、及び「プロパティ指定の検索範囲で一つ前に検索された文字列までジャンプする」処理によって、ファイル先端、もしくは終端まで来た場合、カレントファイル、もしくは別ファイル指定で検索していた場合、検索終了表示を行い、別フォルダ指定にて検索を行っていた場合、同一フォルダ内の次のファイルについて降順に検索を行い、結果を順次表示していき、フォルダ内の検索がすべて終了した場合は検索終了表示を行うといえる。
　
　引用例における「プロパティ指定の検索範囲」に関し、段落００４４〜００４８の記載によれば、事前に右クリックで表示されるメニューの「プロパティ」項目を選択すると表示されるプロパティ表示（図５を参照）にて「文字列クリック時検索範囲」を決定しておき、前記メニューの「プロパティ」における検索範囲の指定は、「カレントファイル」、「別ファイル」、「別フォルダ」から選択して指定し、「カレントファイル」を選択すると同一文字列であるものを検索し、「別ファイル」を指定すると検索対象のファイルをドライブ、そしてファイル名単位で指定し、「別フォルダ」を指定すると検索対象のフォルダをドライブ、そしてフォルダ名単位の指定をするものであるといえる。
　引用例の段落００４７及び段落００４８における、「〜指定が必要になる。」との記載から、引用例におけるシステムで、「別ファイル」又は「別フォルダ」を指定した際は、それぞれ必要となる情報を段落００４７，００４８に記載された直接入力や選択による方法で指定するものであることは明らかである。
　
　してみると、引用例には、以下の発明（以下、「引用発明」という。）が記載されているといえる。
「検索対象の文字列を含むテキストデータを格納する検索対象ファイル／フォルダ群と、前記検索対象ファイル／フォルダ群を検索した結果を格納する検索結果格納データベースと、検索処理の履歴を格納する検索履歴情報保存部と、任意の文字列を検索条件として入力し，検索結果を表示し，過去の検索結果情報および検索履歴情報を参照するユーザインタフェースを形成する画面表示部と、前記画面表示部の指示に基づいて前記検索対象ファイル／フォルダ群を検索し，前記検索結果格納データベースおよび前記検索履歴情報保存部を更新しあるいは参照し，これらの処理の結果を前記画面表示部に送出する検索モジュール格納部とを有する文字列検索結果表示システムであって
　画面表示部は、本システムのメインメニューを示すメニュー表示部と、テキストデータを表示しメニューで指示された処理の結果を表示するファイル情報表示画面と、検索履歴情報に基づいて過去の検索履歴を表示する樹状表示画面と、検索結果格納データベースを参照して該当する過去の検索結果を表示する検索参照画面とを備え、
　ファイル情報表示画面において、マウスで検索したい文字列を反転表示させ、右クリックするとメニューが表示され、
　前記メニューにおいて、「検索対象化」を選択すると、反転させた文字（列）を検索対象として、ＷＷＷのページと同様にアンダーバー表示し、同時に、指定のファイル、フォルダ内で検索条件に合致するデータを検索しデータベースに格納し、
　ファイル表示画面上（カレントファイル）で同じ文字列が検索されている場合はアンダーバー表示され、
　前記メニューにおいて、「次の文字列」を選択、又は、アンダーバー表示文字列を単にクリックすると、プロパティ指定の検索範囲で次に検索された文字列までジャンプし、
　ファイル先端、もしくは終端まで来た場合、カレントファイル、もしくは別ファイル指定で検索していた場合、検索終了表示を行い、別フォルダ指定にて検索を行っていた場合、同一フォルダ内の次のファイルについて降順に検索を行い、結果を順次表示していき、フォルダ内の検索がすべて終了した場合は検索終了表示を行い、
　事前にメニューの「プロパティ」を選択したプロパティ表示にて「文字列クリック時検索範囲」を決定しておき
　前記メニューの「プロパティ」における検索範囲の指定は、「カレントファイル」、「別ファイル」、「別フォルダ」から選択して指定し、
　「カレントファイル」を選択すると同一文字列であるものを検索し、
　「別ファイル」を指定すると検索対象のファイルをドライブ、そしてファイル名単位で指定し、
　「別フォルダ」を指定すると検索対象のフォルダをドライブ、そしてフォルダ名単位の指定するものである、
文字列検索結果表示システム。」
　
　
４．対比
　本願発明と引用発明とを対比する。
　
　引用発明における「検索対象ファイル」は、検索対象の文字列を含むテキストデータを格納することから、電子文書の範囲内に含まれるものといえ、本願発明における、「電子文書」に相当する。
　
　引用発明における「検索対象の文字列」は、システムの使用者がメニューから「検索対象化」を選択することによって指定された検索すべき文字列であるから、本願発明における「検索条件として指定された文字列」に相当する。
　
　引用発明における「文字列検索結果表示システム」は、全体を装置としてとらえることができるから、本願発明における、「文書検索装置」に相当する。
　
　引用例の段落００１１の「さらに本発明の他の目的は、１ファイルまたは複数ファイルにまたがって文字列検索を容易に行うシステムを提供することである。」との記載、及び、引用例における「プロパティ」における検索範囲の指定で「別フォルダ」を選択した場合（段落００４８）についての、『「別フォルダ」を選択すると、図５の「検索対象文字列」および「別フォルダ」を格納したダイアログが表示されるので、検索文字列およびフォルダ名をそれぞれ指定する事で、指定したフォルダ内でファイル名を昇順に並べ、指定された文字列の検索を行う。』（段落００６２）、及び、「別フォルダ指定にて検索を行っていた場合、同一フォルダ内の次のファイルについて降順に検索を行う」（段落００６５）との記載から、引用例ではフォルダ内に複数のファイルが存在することを前提としているといえ、その際の同一フォルダ内の複数のファイルは、本願発明における「複数の電子文書」に相当する。
　してみると、引用発明における「検索モジュール格納部」の「指定のファイル、フォルダ内で検索条件に合致するデータを検索しデータベースに格納」する構成は、検索条件として指定された文字列を複数の電子文書中から検索する構成である点で、「前記検索条件として指定された文字列が前記検索条件に適合する複数の電子文書の本文中で出現する位置を特定する挿入位置特定手段」と共通する。
　
　引用発明における「ファイル情報表示画面」について、段落００３８〜００３９等によれば、テキストデータを表示し、また、右クリックで表示されるメニューから、検索対象化、次の文字列の表示などの指示を行うものであり、段落００７０には、「上記の検索参照画面では、図８を参照すると、該当文字列はアンダーバー表示が行われる。表示が画面に収まらない場合はスクロール表示となる。詳細を見るために、検索対象画面内の該当文字列をクリックする事で、情報が検索モジュールを経由し、該当個所を含むファイルを検索結果格納データベースより選択し、ファイル表示部に指定文字列が格納されているファイルをファイル情報表示画面に展開表示する。」との記載があり、検索参照画面でアンダーバー表示された該当文字列をクリックした際に、指定文字列が格納されているファイルを「ファイル情報表示画面」に展開表示することが記載されている。
　してみると、「ファイル情報表示画面」は、指定文字列が格納されているファイルの内容を表示しているといえるから、電子文書の本文を表示する手段という点で、本願発明における「文書表示手段」と共通する。
　
　次に、引用発明の「ファイル情報表示画面」における「アンダーバー表示」について、引用発明は、以下の構成を有している。
（１）ファイル情報表示画面において、マウスで検索したい文字列を反転表示させ、右クリックするとメニューが表示され、「検索対象化」を選択すると、反転させた文字（列）を検索対象として、ＷＷＷのページと同様にアンダーバー表示する。
（２）ファイル表示画面上（カレントファイル）で同じ文字列が検索されている場合はアンダーバー表示される。
（３）アンダーバー表示文字列を（単に）クリックすると、プロパティ指定の検索範囲で次に検索された文字列までジャンプする。
　上記（２）における「ファイル表示画面」との記載は、引用例中に他に用いられていない用語であり、誤記と解されるが、少なくとも「ファイル情報表示画面」を含むといえる。また、「（カレントファイル）」との記載から、その時点で「ファイル情報表示画面」に表示しているファイルを指しているといえる。
　上記（３）における「アンダーバー表示文字列をクリックする」とは、マウスを使って文字列を指定しているといえるから、本願発明における「文字列が指定された場合」と対応している。
　上記（３）における「〜ジャンプする」との記載について、「ＷＷＷのページと同様」という「アンダーバー表示」についての記載（段落００２２）、及び、ＷＷＷのページにおいてハイパーリンクを下線（アンダーバー）付きで表示することや該ハイパーリンクが設定された箇所をクリックすることでリンク先の情報を表示するといった、ＷＷＷのページに関するこの出願の出願前における周知の事項（例えば、原査定の拒絶理由で引用文献２として提示した、東亜土，クリエータのためのＷｅｂコンテンツ制作［第４回］，日経ＣＧ，日本，日経ＢＰ社，１９９７年　１月　８日，第１２４号，第１６２頁〜第１６９頁、以下、「引用文献２」という。特に図４−１、図４−２及び関連する記載を参照。）を参酌すれば、引用発明における「次に検索された文字列までジャンプする」とは、ジャンプする先の「次に検索された文字列」とその周辺の文字列を表示することであることは明らかである。
　また、上記（３）における「次に検索された文字列までジャンプする」の「次」という記載に関し、図３を参照すると、表示されている横書き表示されたファイル中の下方向にジャンプするものであり、本願発明における「文書末方向」に相当する。
　これらのことから、引用例における「アンダーバー表示」された検索対象の文字列（アンダーバー表示文字列）は、それをクリックすることで文書末方向にある次の検索対象の文字列（同じくアンダーバー表示されている）にジャンプ（移動）し、検索対象の文字列及びその周辺の文字列を表示するという機能を有しているといえる。
　
　他方、本願発明における「ラベル」が挿入される位置は、検索条件として指定された文字列が前記検索条件に適合する複数の電子文書の本文中で出現する位置であり、また、「リンク」は、「前記電子文書の本文中の前記検索条件として指定された文字列のうち当該位置から文書頭方向で最初に出現するもの」である文字列に設定されるものである。
　してみると、引用発明における「アンダーバー表示文字列」は、利用者から指定される文字列という点で本願発明における「リンクを設定された文字列」に対応する。また、同時に、引用発明における「アンダーバー表示文字列」は、指定された際に次に表示するべき文書末方向で最初に出現する文字列の場所を特定しているという点で本願発明における「ラベル」に対応する機能を有している。
　そして、引用発明における「アンダーバー表示」をクリックすると次に検索された文字列までジャンプする構成と、本願発明の「文書表示手段」における、「前記電子文書の本文の表示中に前記リンク挿入手段によりリンクを設定された文字列が指定された場合に、当該文字列から文書末方向で最初に出現するラベル付近の文字列を表示する」構成とは、「電子文書の本文の表示中に検索条件として指定された文字列が指定された場合に当該文字列から文書末方向で最初に出現する検索条件として指定された文字列付近の文字列を表示する」点で共通している。
　
　複数文書の検索における、最後に出現する検索された文字列からの他の電子文書へのリンクに関し、本願発明は、「前記電子文書の本文中で最初に出現する前記位置へのリンクを、当該電子文書とは別の電子文書の本文中で最後に出現する前記文字列であって、他の電子文書の本文中で最初に出現する前記位置へのリンクが設定されていないものに設定する」ことにより、要するに複数の電子文書について、別の電子文書の最後に出現する文字列から、電子文書の最初に出現する文字列へのリンクを設定することで電子文書間の関係付けを行うものであって、かつ、「他の電子文書の本文中で最初に出現する前記位置へのリンクが設定されていない」ものに対して設定することで、複数の電子文書を一筆書き状に、かつ、循環するよう（ループ状）にリンクが設定されているものといえる。
　一方、引用発明は、右クリックすると表示されるメニューにおいて、「次の文字列」を選択、又は、アンダーバー表示文字列を単にクリックすると、プロパティ指定の検索範囲で次に検索された文字列までジャンプし、ファイル終端まで来た場合、（プロパティ指定の検索範囲で）別フォルダ指定にて検索を行っていた場合、同一フォルダ内の次のファイルについて降順に検索を行い、結果を順次表示していき、フォルダ内の検索がすべて終了した場合は検索終了表示を行うようになっているから、ファイル終端の検索された文字列は、フォルダ内の降順で次のファイルの検索された文字列に関係付けられているといえる。
　また、引用発明は降順に検索を行うようになっているから、引用発明において検索された複数の電子文書は一筆書き状に関係づけられているといえ、本願発明における「他の電子文書の本文中で最初に出現する前記位置へのリンクが設定されていない」ものに対して関係づけるようになっていることは明らかである。
　してみると、最後に出現する検索された文字列からの他の電子文書へのリンクに関し、本願発明と引用発明とは、「文書中の最後に出現する検索された文字列から、他の電子文書の本文中で最初に出現する前記位置への関係づけが設定されていない別のファイルの検索された文字列に関係づけがされている」という点で共通している。
　
　以上のことから、本願発明と引用発明とは、次の一致点で一致し、また、相違点１〜５でそれぞれ相違する。
　
（一致点）
「検索条件に適合する電子文書を検索する文書検索装置において、
検索条件として指定された文字列を複数の電子文書中から検索する構成と、
電子文書の本文の表示中に検索条件として指定された文字列が指定された場合に当該文字列から文書末方向で最初に出現する検索条件として指定された文字列付近の文字列を表示する構成とを有し、
文書中の最後に出現する検索された文字列から、他の電子文書の本文中で最初に出現する前記位置へのリンクが設定されていない別のファイルの検索された文字列に関連づけがされている
文書検索装置。」である点。
　
（相違点１）
　検索条件として指定された文字列を複数の電子文書中から検索する構成が、本願発明では、「検索条件として指定された文字列が前記検索条件に適合する複数の電子文書の本文中で出現する位置を特定する」ものであるのに対して、引用発明はそのようになっていない点。
　
（相違点２）
　本願発明は、「挿入位置特定手段により特定された各位置に当該位置を識別するためのラベルを挿入するラベル挿入手段」を備え、文字列が指定された場合に当該文字列から文書末方向で最初に出現する検索条件として指定された文字列付近の文字列を表示する際に「ラベル」付近の文字列を表示するようになっているのに対して、引用発明はそのようになっていない点。
　
（相違点３）
　本願発明は、「リンク挿入手段」を備え、文字列を指定するために「ラベル挿入手段によりラベルを挿入された各位置へのリンク」を用いるようになっているのに対して、引用発明はそのようになっていない点。
　
（相違点４）
　本願発明の「リンク挿入手段」は、「当該電子文書とは別の電子文書の本文中で最後に出現する前記文字列であって、他の電子文書の本文中で最初に出現する前記位置へのリンクが設定されていないもの」から「電子文書の本文中で最初に出現する前記位置へのリンク」を設定するのに対して、引用発明は、そのようになっていない点。
　
（相違点５）
　本願発明の「リンク挿入手段」は、「当該電子文書とは別の電子文書の本文中で最後に出現する前記文字列であって、他の電子文書の本文中で最初に出現する前記位置へのリンクが設定されていないもの」から「電子文書の本文中で最初に出現する前記位置へのリンク」を設定することで、リンクが循環するように設定するのに対して、引用発明は、そのようになっておらず、フォルダ内の検索がすべて終了した場合は検索終了表示を行うようになっている点。
　
５．判断
　上記相違点１〜５について判断する。
　
（相違点１について）
　引用発明において、「ファイル表示画面上（カレントファイル）で同じ文字列が検索されている場合はアンダーバー表示される」ことから、同じ文字列であるジャンプ先の文字列が「アンダーバー表示」されることは明らかである。そして、当該文字列をアンダーバー表示するためには位置を特定することが必要であることは、当業者にとって自明のことである。
　してみれば、引用発明において、検索条件として指定された文字列が前記検索条件に適合する複数の電子文書の本文中で出現する位置を特定するように構成することは、当業者が容易になし得たことである。
　
（相違点２，３について）
　ＷＷＷのページ（ＨＴＭＬドキュメント）のようなハイパーテキストにおいて、アンダーバー（下線）表示がハイパーリンクを示すもので、クリック（指定）することでリンク先にジャンプすることは、この出願の出願前において周知慣用されている技術である。
　そして、ドキュメントが長くなった場合などにページ内の特定位置に「a name=n〜/a」のようなname属性のアンカータグ（本願発明における「ラベル」に相当する。）を挿入して当該位置へジャンプするページ内リンクも周知慣用されている技術である（例えば引用文献２の１６４頁１１行〜１６５頁１０行の「ページ内リンクの設定」の項、及び、図４−１，図４−２を参照。）。
　一方、引用例には、「アンダーバー表示」について、段落００２２に『本発明によれば、検索したい文字列をマウスで選択し、メニューの「検索対象化」を選択することでＷＷＷのページと同様にアンダーバーが表示される。』、段落００５９に、『「次に文字列」を選択すると、前述のプロパティ指定の検索範囲で次に検索された文字列までジャンプする（図３参照）。アンダーバー表示文字列を単にクリックした場合にも同じ動作を行う。』との記載があり、アンダーバーがＷＷＷのページと同様の表示であること、アンダーバー表示をクリックした場合にもジャンプすることが記載されており、アンダーバー表示をクリックするとジャンプするという、ＷＷＷのページのハイパーリンクのような動作をすることが記載ないしは示唆されているといえる。
　してみると、引用発明に周知のＨＴＭＬドキュメントの技術を適用し、「アンダーバー表示」の箇所に、「当該位置を識別するためのラベルを挿入する」ように構成すること、及び、「ラベル挿入手段によりラベルを挿入された各位置へのリンク」を用いるように構成することは、当業者が容易になし得たことである。
　
（相違点４について）
　引用例には、ファイルの終端に達した後、次のファイルのどこの文字列にジャンプするのか明確な記載はないが、引用発明はメニューから「次の文字列」を選択、又は、文字列をクリックすることでファイル中の文字列を上から下に向かってジャンプするようになっているから、次のファイルに移動した後でも同様に上から下へジャンプするように、次のファイル中で最初に出現する文字列にジャンプするように構成することは、当業者が容易になし得たことである。
　
　そして、通常のリンクとページ内リンクを組み合わせて別のファイルの特定位置へジャンプすることは、例えば引用文献２の１６５頁左欄９〜１１行目に「ネーム指定を通常リンクと組み合わせた例」として記載されているようにこの出願の出願前において周知慣用されている事項であるから、引用発明において、そのようなリンクを設定することに格別の技術的困難性はなく、当業者が容易になし得たことである。
　
（相違点５について）
　複数文書に対する検索結果を順次表示して最後の文書まで到達した場合に、表示を終了すること、及び、最初の文書に回り込んで表示することは、いずれも一般的に用いられている周知の事項であり、当業者が必要に応じて適宜選択すべき程度のことである（例えば、原査定で追加した、特開平２−２３０３７６号公報の第５頁左上欄１４行〜同頁右上欄１４行の記載を参照。）。
　してみれば、引用発明において、フォルダ内の文書の終端まで到達した場合に、検索終了表示を行わずに、最初のファイルの検索された文字列にジャンプするように構成することは、当業者が容易になし得たことである。
　
 （効果について）
　また、本願発明の効果は引用例及び周知の事項から当業者が予想可能な範囲内のものであり、格別のものではない。
　
　以上のとおり、本願発明は、引用例に記載された発明及び周知の事項に基づいて当業者が容易に発明をすることができたものである。
　
　
６．むすび
　以上のとおり、本願の請求項１に係る発明は特許法第２９条第２項の規定により特許を受けることができないものである。
　したがって、その余の請求項について検討するまでもなく、本願は拒絶すべきものである。
　よって、結論のとおり審決する。